(57)【要約】【課題】ブラシからのクリーニング液の垂れ落ちを防止し得るレンズクリーナを提供することを主目的とする。【解決手段】ディスク本体２、ディスク本体２の一方の面２ａに植設された清掃用ブラシ４、およびディスク本体２に配設されると共に保水力を有して清掃用ブラシ４の基部にクリーニング液１０を供給する液受け部材３を備えている。この場合、液受け部材３は、ディスク本体２の他方の面２ｂに一部が露出した状態で配設されている。【選択図】図２
0003107682.tif 000002
【実用新案登録請求の範囲】
【請求項１】
ディスク本体、当該ディスク本体の一方の面に植設された清掃用ブラシ、および前記ディスク本体に配設されると共に保水力を有して前記清掃用ブラシの基部にクリーニング液を供給する液受け部材を備えているレンズクリーナ。
【請求項２】
前記液受け部材は、前記ディスク本体の他方の面に一部が露出した状態で配設されている請求項１記載のレンズクリーナ。
【請求項３】
前記液受け部材は、前記ディスク本体の前記一方の面に一部が露出した状態で配設されている請求項１記載のレンズクリーナ。
【請求項４】
前記液受け部材は、フェルト、発泡プラスチック、不織布および織布のいずれか１種以上で構成されている請求項１から３のいずれかに記載のレンズクリーナ。
【請求項５】
前記液受け部材は、保水力を有する液受け本体部と、保水力を有すると共に前記液受け本体部から延出して前記清掃用ブラシの前記基部に前記クリーニング液を供給する液供給部とを備えている請求項１から４のいずれかに記載のレンズクリーナ。
【請求項６】
前記ディスク本体の前記一方の面における前記清掃用ブラシの回転方向において当該清掃用ブラシの後方側であって、回転した前記清掃用ブラシによって描かれる円環領域の内周縁よりも外周側の位置に、当該清掃用ブラシから飛散した前記クリーニング液を捕捉する捕捉用ブラシが植設されている請求項１から５のいずれかに記載のレンズクリーナ。
【考案の詳細な説明】
【技術分野】
【０００１】
本考案は、光ピックアップの対物レンズを清掃するレンズクリーナに関するものである。
【背景技術】
【０００２】
この種のレンズクリーナとして、特開２００１−１１８２７６号公報に開示されたレンズクリーナが従来から知られている。このレンズクリーナは、コンパクトディスクと実質的に同形状のディスクと、このディスクの盤面における所定位置に植設されたクリーニング部材とを備えて構成されている。クリーニング部材は、例えば、適宜の繊維からなるブラシ（清掃用ブラシ）であって、ディスクに設けた小孔に装着された基端部がこの小孔の底部に設けた接着剤で接着固定されることによってディスクに植設されている。このレンズクリーナでは、ディスクの回転に伴い、ブラシが一定の軌跡をもって回転することで、ブラシの先端部がピックアップレンズに接触したときにレンズ面に付着している異物などの汚れを払拭する。
【０００３】
ところで、この種のレンズクリーナには乾式と湿式との２種類があり、上記したレンズクリーナは乾式レンズクリーナであって、湿式レンズクリーナは、上記のレンズクリーナのブラシにクリーニング液を塗布（滴下）して使用される。
【特許文献１】特開２００１−１１８２７６号公報（第３−４頁、第１−２図）
【考案の開示】
【考案が解決しようとする課題】
【０００４】
ところが、従来の湿式レンズクリーナには、以下の問題点がある。すなわち、通常、ディスク装置では、コンパクトディスクやＤＶＤなどの光情報媒体を載置するトレイの下方に光ピックアップが配置されている。このため、このレンズクリーナを使用するときには、まず、ディスクにおけるブラシが植設された盤面を上向きにしてブラシにクリーニング液を滴下し、その後に、ディスクを裏返ししてブラシが植設された盤面を下向きにしてレンズクリーナをディスク装置のトレイに載置する。しかしながら、ブラシがクリーニング液を保つ力が弱いため、この湿式レンズクリーナには、ディスクを裏返した際や、トレイに載置した際に、クリーニング液がブラシから下方に垂れ落ちるおそれがあるという問題点が存在する。
【０００５】
本考案は、かかる問題点に鑑みてなされたものであり、ブラシからのクリーニング液の垂れ落ちを防止し得るレンズクリーナを提供することを主目的とする。
【課題を解決するための手段】
【０００６】
上記目的を達成すべく本考案にレンズクリーナは、ディスク本体、当該ディスク本体の一方の面に植設された清掃用ブラシ、および前記ディスク本体に配設されると共に保水力を有して前記清掃用ブラシの基部にクリーニング液を供給する液受け部材を備えている。
【０００７】
この場合、前記ディスク本体の他方の面に一部が露出した状態で前記液受け部材を配設することができる。
【０００８】
また、前記ディスク本体の前記一方の面に一部が露出した状態で前記液受け部材を配設することができる。
【０００９】
また、前記液受け部材をフェルト、発泡プラスチック、不織布および織布のいずれか１種以上で構成することができる。
【００１０】
また、保水力を有する液受け本体部と、保水力を有すると共に前記液受け本体部から延出して前記清掃用ブラシの前記基部に前記クリーニング液を供給する液供給部とを備えて前記液受け部材を構成することもできる。
【００１１】
さらに、前記ディスク本体の前記一方の面における前記清掃用ブラシの回転方向において当該清掃用ブラシの後方側であって、回転した前記清掃用ブラシによって描かれる円環領域の内周縁よりも外周側の位置に、当該清掃用ブラシから飛散した前記クリーニング液を捕捉する捕捉用ブラシを植設することもできる。
【考案の効果】
【００１２】
本考案に係るレンズクリーナによれば、ディスク本体に清掃用ブラシと共に保水力を有する液受け部材を配設したことにより、滴下されたクリーニング液を液受け部材で保ちつつ、液受け部材から清掃用ブラシにクリーニング液を少しずつ供給することができる。したがって、このレンズクリーナによれば、ディスク本体に植設された清掃用ブラシにクリーニング液を直接滴下する従来のレンズクリーナとは異なり、清掃用ブラシからのクリーニング液の下方への垂れ落ちを確実に防止することができる。
【００１３】
また、上記のレンズクリーナによれば、ディスク本体の他方の面に一部が露出した状態で液受け部材を配設したことにより、クリーニング液を液受け部材に滴下した後にレンズクリーナを裏返しにすることなく、ディスク装置に装着することができる。したがって、レンズクリーナを裏返しにする手間を省くことができる結果、レンズクリーナをディスク装置に迅速に装着することができる。また、レンズクリーナをディスク装置のトレイに載置した状態において、クリーニング液を液受け部材に滴下することもできる。
【００１４】
また、上記のレンズクリーナによれば、ディスク本体の一方の面に一部が露出した状態で液受け部材を配設したことにより、レンズクリーナを簡易に構成することができる。
【００１５】
また、上記のレンズクリーナによれば、フェルト、発泡プラスチック、織布および不織布のいずれか１種以上で液受け部材を構成したことにより、簡易かつ安価に液受け部材を構成することができる。
【００１６】
また、上記のレンズクリーナによれば、液受け本体部と、液受け本体部から延出して清掃用ブラシの基部にクリーニング液を供給する液供給部とを備えて液受け部材を構成したことにより、清掃用ブラシからのクリーニング液の下方への垂れ落ちを確実に防止することができると共に、液供給部の断面積および長さの少なくとも一方を変えることによって清掃用ブラシへのクリーニング液の供給量を適量に制御することができる。したがって、清掃対象のレンズに対して過不足のない適量のクリーニング液を清掃用ブラシから確実に供給することができる結果、レンズのクリーニングを一層良好に行うことができる。
【００１７】
また、上記のレンズクリーナによれば、ディスク本体の一方の面における清掃用ブラシの回転方向において清掃用ブラシの後方側であって、回転した清掃用ブラシによって描かれる円環領域の内周縁よりも外周側の位置に、清掃用ブラシから飛散したクリーニング液を捕捉する捕捉用ブラシを植設したことにより、クリーニング液の広範囲への飛散を捕捉用ブラシによって防止することができるため、飛散したクリーニング液によるディスク装置内部の汚れを十分に低減することができる。
【考案を実施するための最良の形態】
【００１８】
以下、本考案に係るレンズクリーナの最良の形態について、図面を参照して説明する。
【００１９】
最初に、レンズクリーナ１の構成について、図面を参照して説明する。
【００２０】
レンズクリーナ１は、図１，２に示すように、ディスク本体２、液受け部材３および清掃用ブラシ４を備えて構成されている。この場合、ディスク本体２は、清掃対象としての光ピックアップを有するディスク再生装置やディスク記録再生装置（以下、特に区別しないときには「ディスク装置」ともいう）に装着されるディスク状の情報媒体と例えば同一の外形に形成されている。また、ディスク本体２には、図４に示すように、他方の面２ｂに装着用凹部５が形成されると共に、装着用凹部５の底面５ａから一方の面（光ピックアップとの対向面）２ａに達する貫通孔６が形成されている。装着用凹部５は、液受け部材３を装着し得る平面形状および深さに構成され、貫通孔６は、一方の面２ａと平行な平面に沿った断面形状が清掃用ブラシ４を挿入し得る形状（例えば円形）に構成されている。
【００２１】
液受け部材３は、フェルト、発泡プラスチック、不織布および織布のいずれか１種以上で構成されている。この場合、フェルト、発泡プラスチック（一例としてスポンジ）および不織布等の多孔質材料は、優れた保水力（または吸水力）を有し、また織布も吸水性を有している。このため、液受け部材３は、滴下されたクリーニング液（アルコール、精製水、または両者の混合液）を含浸（吸水）しつつ、清掃用ブラシ４にクリーニング液を供給可能に構成されている。また、液受け部材３は、一例として図３に示すように円板体（直径は約０．７ｃｍ）に形成されて、その厚みは装着用凹部５の深さとほぼ同一（一例として０．４ｍｍ）に設定されている。この構成により、液受け部材３は、滴下された１滴のクリーニング液を装着用凹部５から溢れ出ないように保つことが可能となっている。また、液受け部材３は、図４に示すように、清掃用ブラシ４よりも平面形状が大きく形成されると共に、一方の面（同図中の下面）３ａにおける中心から偏心した位置に装着孔３ｂが形成されている。清掃用ブラシ４は、極細のブラシ毛を円柱状に束ねて構成されると共に、図４に示すように、その基部４ａが装着孔３ｂ内に装着されることにより、図３，４に示すように中間部４ｂおよび先端部４ｃが液受け部材３の一方の面３ａからほぼ直角に突出した状態で液受け部材３に一体化（植設）されている。一例として、清掃用ブラシ４は、基部４ａ側の端面が装着孔３ｂの底面に接着剤７によって接着されることによって液受け部材３に固定されている。
【００２２】
また、以上のようにして互いに一体化された液受け部材３および清掃用ブラシ４は、図４に示すように、液受け部材３の一方の面３ａに接着剤８を塗布した状態で清掃用ブラシ４を貫通孔６内に挿通させることにより、装着用凹部５および貫通孔６の内部にそれぞれ装着される。したがって、図２，５に示すように、液受け部材３は、接着剤８によって一方の面３ａが装着用凹部５の底面５ａに接着され、かつ他方の面３ｃの全域がディスク本体２の他方の面２ｂに露出した状態でディスク本体２に取り付けられている（本考案においてディスク本体の他方の面に少なくとも一部が露出した状態の一例）。なお、この構成に限らず、後述するクリーニング液１０を滴下可能な程度の広さに規定した他方の面３ｃの一部をディスク本体２の他方の面２ｂに露出させた状態でディスク本体２に取り付けることもできる。また、清掃用ブラシ４は、先端部４ｃが貫通孔６内を貫通してディスク本体２の一方の面２ａからほぼ直角に突出すると共に中間部４ｂが貫通孔６の壁面によって支持された状態でディスク本体２に取り付けられている（植設されている）。
【００２３】
次に、レンズクリーナ１の使用方法について説明する。
【００２４】
まず、図２，５に示すように、一方の面２ａを下向きにしてディスク本体２を配置し、クリーニング液のボトル９からクリーニング液１０を液受け部材３の他方の面３ｃ上に１滴滴下する。この際に、液受け部材３の他方の面３ｃには清掃用ブラシ４が植設されていないため、清掃用ブラシ４に邪魔されることなく、クリーニング液１０を液受け部材３に滴下することができる。この場合、滴下されたクリーニング液１０は、液受け部材３全体に行き渡ると共に、液受け部材３に植設されている清掃用ブラシ４の基部４ａを伝わって清掃用ブラシ４の中間部４ｂおよび先端部４ｃに供給される。これにより、クリーニング液１０は、液受け部材３および清掃用ブラシ４の双方によって保たれる。次いで、レンズクリーナ１をディスク装置に装着する。なお、レンズクリーナ１では、上記したようにディスク本体２における清掃用ブラシ４が植設された面（一方の面２ａ）の裏面（他方の面２ｂ）に液受け部材３が露出した状態で配設されている。したがって、最初にレンズクリーナ１をディスク装置のトレイに載置し、その後に、クリーニング液１０を液受け部材３に滴下することもできる。
【００２５】
続いて、このディスク装置に対して再生動作を開始させる。ディスク装置は、再生動作中において、レンズクリーナ１を回転させると共に、レンズクリーナ１の半径方向に沿って光ピックアップを例えば内周側から外周側に向けて移動させる。したがって、清掃用ブラシ４の回転領域を光ピックアップが通過する際に、清掃用ブラシ４は、その先端部４ｃが光ピックアップのレンズに接触して、その際に、レンズを綺麗にクリーニングする。この場合、先端部４ｃが光ピックアップのレンズに接触している際に、清掃用ブラシ４に対しては光ピックアップからレンズクリーナ１の回転方向と逆方向の応力が加わるものの、中間部４ｂが貫通孔６の壁面で支持されているため、清掃用ブラシ４の大きな傾きが回避される。したがって、このレンズクリーナ１では、清掃用ブラシ４の先端部４ｃが光ピックアップのレンズに対してほぼ直角の状態で接触し続けることができるため、清掃用ブラシ４によってレンズに付着した塵や埃が確実に拭き取られる。
【００２６】
このように、このレンズクリーナ１によれば、ディスク本体２に清掃用ブラシ４と共に保水力を有する液受け部材３を配設したことにより、滴下されたクリーニング液１０を液受け部材３で保ちつつ、液受け部材３から清掃用ブラシ４にクリーニング液１０を少しずつ供給することができる。したがって、このレンズクリーナ１によれば、ディスク本体に植設された清掃用ブラシにクリーニング液を直接滴下する従来のレンズクリーナとは異なり、清掃用ブラシ４からのクリーニング液１０の下方への垂れ落ちを確実に防止することができる。また、このレンズクリーナ１によれば、清掃用ブラシ４よりも平面形状の大きな液受け部材３にクリーニング液１０を滴下する構成のため、清掃用ブラシに直接滴下する構成と比較して、ディスク本体２の表面へのクリーニング液１０の誤った滴下を確実に回避しつつクリーニング液１０を滴下することができる。したがって、ディスク本体２の表面へのクリーニング液１０の付着を回避することができるため、レンズクリーナ１の回転時において、ディスク本体２の表面に付着したクリーニング液１０のディスク装置内への飛散を確実に防止することができる。
【００２７】
また、このレンズクリーナ１によれば、ディスク本体２における清掃用ブラシ４が突出する一方の面２ａの裏面である他方の面２ｂに液受け部材３を露出させた状態で配設したことにより、クリーニング液１０を液受け部材３に滴下した後にレンズクリーナ１を裏返しにすることなく、ディスク装置に装着することができる。したがって、レンズクリーナ１を裏返しにする手間を省くことができる結果、レンズクリーナ１をディスク装置に迅速に装着することができる。また、レンズクリーナ１をディスク装置のトレイに載置した状態において、クリーニング液１０を液受け部材３に滴下することもできる。
【００２８】
なお、本考案は上記の構成に限定されない。例えば、上記の構成では、図３に示すように、液受け部材３における中心から偏心した位置に清掃用ブラシ４を植設しているが、図６に示すように、液受け部材３の中心部に装着孔３ｂを設けて、清掃用ブラシ４を液受け部材３の中心部に植設する構成を採用することもできる。また、図示はしないが、複数の清掃用ブラシ４を液受け部材３に植設する構成を採用することもできる。また、上記の構成では、極細のブラシ毛を円柱状に束ねて清掃用ブラシ４を形成しているが、極細のブラシ毛を液受け部材３の表面に直線的（長方形形状）に植設する構成を採用することもできる。
【００２９】
また、上記の構成では、清掃用ブラシ４を液受け部材３に接着剤７で接着すると共に、液受け部材３をディスク本体２に接着剤８で接着することにより、液受け部材３を介してディスク本体２に清掃用ブラシ４を取り付けているが、清掃用ブラシ４をディスク本体２に直接接着する構成を採用することもできる。一例として、円板状の液受け部材１３を図７に示す。この液受け部材１３では、液受け部材３の装着孔３ｂに代えて凹部１３ｂを側壁に形成すると共にこの凹部１３ｂに清掃用ブラシ４の基部４ａが装着される。また、この液受け部材１３をディスク本体２に取り付ける際には、液受け部材１３の一方の面１３ａに接着剤８を配設すると共に基部４ａの側面に接着剤８Ａを配設した状態で、組み合わせた液受け部材１３および清掃用ブラシ４をディスク本体２の装着用凹部５および貫通孔６に装着する。この構成によれば、液受け部材１３は接着剤８によって装着用凹部５の底面５ａに接着されて、かつ清掃用ブラシ４が接着剤８Ａによって装着用凹部５の内周面に接着される結果、ディスク本体２に直接接着される。
【００３０】
また、上記の構成では、ディスク本体２の他方の面２ｂ（光ピックアップとの非対向面）に露出するように液受け部材３をディスク本体２に配設すると共に、ディスク本体２の一方の面２ａから清掃用ブラシ４を突出させているが、図８，９に示すレンズクリーナ２１のように構成することもできる。このレンズクリーナ２１では、一方の面２２ａ（光ピックアップとの対向面）に装着用凹部５を形成したディスク本体２２を備え、図３に示すように清掃用ブラシ４を植設した液受け部材３に対して、図８に示すように他方の面３ｃに接着剤８を配設して、液受け部材３を他方の面３ｃ側から装着用凹部５に装着して底面５ａに接着させることにより、液受け部材３および清掃用ブラシ４がディスク本体２２に取り付けられる。つまり、このレンズクリーナ２１では、ディスク本体２２の他方の面２２ｂに液受け部材３が露出しない簡易な構成が採用されている。なお、レンズクリーナ１と同一の構成については同一の符号を付して重複する説明を省略する。このレンズクリーナ２１では、図９に示すように、一方の面２２ａを上向きにしてディスク本体２２を配置した状態で、クリーニング液１０をボトル９から液受け部材３に１滴滴下し、次いで、ディスク本体２２を裏返して一方の面２２ａが下向きとなるようにした後に、レンズクリーナ２１をディスク装置に装着する。このように構成されたレンズクリーナ２１においても、レンズクリーナ１と同様にして、滴下されたクリーニング液１０を優れた保水力を有する液受け部材３で保ちつつ、液受け部材３から清掃用ブラシ４にクリーニング液１０を少しずつ供給することができる。したがって、このレンズクリーナ２１によっても、クリーニング液１０が清掃用ブラシ４から下方に垂れ落ちるという事態を確実に防止することができる。
【００３１】
また、上記の構成では、一例として液受け部材３，１３を円板体に形成しているが、液受け部材の形状は円板体（平面形状が円形の円柱体）に限らず、平面形状が楕円の円柱体、三角柱および四角形などの多角柱等、またはこれらを組み合わせた形状等、各種の形状で構成することができる。例えば、図１０に示すレンズクリーナ３１の液受け部材３３のように、円板体と直方体とを組み合わせて構成することもできる。なお、レンズクリーナ１と同一の構成については同一の符号を付して重複する説明を省略する。
【００３２】
この液受け部材３３は、円板体に形成された液受け本体部３４と、直方体に形成されると共に液受け本体部３４の側方から延出して清掃用ブラシ４の基部４ａにクリーニング液１０を供給する液供給部３５とを一体化して構成されている。この場合、液受け本体部３４および液供給部３５は、いずれも液受け部材３と同様にして保水力を有する材料を用いて、樹脂成形によって一体的に、かつ同一の厚みに形成されている。また、清掃用ブラシ４は、液受け部材３と同様にして、液供給部３５の一方の面（図１０中の下面）に対してほぼ直角な状態で接着によって植設されている。一方、液受け部材３３が取り付けられるディスク本体３２の他方の面３２ｂには、液受け本体部３４を装着するための装着用凹部３６と、液供給部３５を装着するための装着用凹部３７とが、互いに連通して形成されている。また、ディスク本体３２の一方の面（光ピックアップとの対向面）３２ａには、装着用凹部３７の底面に達する清掃用ブラシ４用の貫通孔６が形成されている。上記構成の液受け部材３３およびディスク本体３２を備えたレンズクリーナ３１では、液受け本体部３４が装着用凹部３６に装着されると共に液供給部３５が装着用凹部３７に装着され、かつ清掃用ブラシ４が、その先端部４ｃが一方の面３２ａから突出するようにして貫通孔６内に挿入されている。
【００３３】
このレンズクリーナ３１を使用する際には、まず、クリーニング液１０を液受け本体部３４に滴下する。この際に、滴下されたクリーニング液１０は、液受け本体部３４全体に行き渡った後に液供給部３５に行き渡り、さらに液供給部３５に植設されている清掃用ブラシ４の基部４ａを伝わって清掃用ブラシ４の先端部４ｃに供給される。この場合、清掃用ブラシ４へのクリーニング液１０の供給量は、液供給部３５の断面積（長さ方向と直交する方向の断面積）および長さの少なくとも一方を変えることによって調整される。例えば、図１１に示す液受け部材３３では、液供給部３５の厚みを薄くしてその断面積を減少させることにより、清掃用ブラシ４への供給量が減少させられている。なお、同図に示す液受け部材３３では、清掃用ブラシ４は、その先端部４ｃが一方の面３２ａから突出するようにして貫通孔６内に挿入される。
【００３４】
このレンズクリーナ３１によれば、液受け本体部３４および液供給部３５を備えた液受け部材３３をディスク本体３２に取り付けたことにより、清掃用ブラシ４からのクリーニング液１０の下方への垂れ落ちを確実に防止することができると共に、液供給部３５の断面積および長さの少なくとも一方を変えることによって清掃用ブラシ４へのクリーニング液１０の供給量を適量に制御することができる。したがって、光ピックアップのレンズに対して過不足のない適量のクリーニング液１０を清掃用ブラシ４から確実に供給することができる結果、レンズのクリーニングを一層良好に行うことができる。
【００３５】
また、上記のレンズクリーナ３１では、液供給部３５における清掃用ブラシ４が植設された面側を装着用凹部３７内に挿入するようにして、液受け部材３３をディスク本体３２に装着しているが、これに限らない。例えば、装着用凹部３６および装着用凹部３７をディスク本体３２の一方の面３２ａ側に形成して、液供給部３５における清掃用ブラシ４が植設された面の裏面側を装着用凹部３７内に挿入して液受け部材３３をディスク本体３２に装着することもできる。この場合、貫通孔６の形成は不要となる。同様にして、図１１に示すように液供給部３５の厚みを液受け本体部３４の厚みよりも薄くした液受け部材３３においても、同じように液受け部材３３をディスク本体３２の一方の面３２ａ側に装着することもできる。さらに、図１２に示すように、液供給部３５における液受け本体部３４の表面と面一の表面（同図中の下面）に清掃用ブラシ４を植設して、液供給部３５における清掃用ブラシ４が植設された面の裏面側から液受け本体部３４および液供給部３５をディスク本体３２の一方の面３２ａ側に形成された装着用凹部３６，３７に装着することにより、液受け部材３３がディスク本体３２の一方の面３２ａ側に取り付けられる。
【００３６】
また、この種の湿式の清掃用ブラシを備えたレンズクリーナでは、清掃用ブラシ４の先端部４ｃが光ピックアップのレンズから離れる際に、先端部４ｃに供給されているクリーニング液１０の一部が飛散する。この場合、図１３に示すように、矢印Ｗ方向をレンズクリーナの回転方向としたときに、クリーニング液１０は、清掃用ブラシ４の回転方向において清掃用ブラシ４の後方側であって、回転した清掃用ブラシ４によって描かれる円環領域Ｘの内周縁Ｘ１よりも外周側に主として飛散する。具体的には、レンズクリーナの回転中心Ｏと清掃用ブラシ４とを結ぶ線分Ｙ１と、線分Ｙ１および内周縁Ｘ１の交点における内周縁Ｘ１に対する接線Ｙ２とで挟まれた領域（図１３中において斜線を付した領域）Ｚにクリーニング液１０が飛散する。したがって、同図に示すレンズクリーナ４１のように、円環領域Ｘの内周縁Ｘ１よりも外周側であって清掃用ブラシ４から若干離間した領域Ｚ内の位置に、捕捉用ブラシ４２を一例として弧状に植設することにより、清掃用ブラシ４から飛散したクリーニング液１０が捕捉用ブラシ４２で捕捉される。
【００３７】
このレンズクリーナ４１によれば、クリーニング液１０の広範囲への飛散を捕捉用ブラシ４２によって防止することができるため、飛散したクリーニング液１０によるディスク装置内部の汚れを十分に低減することができる。なお、レンズクリーナ４１では、レンズクリーナ１に捕捉用ブラシ４２を付加して構成されているため、レンズクリーナ１と同一の構成については同一の符号を付して重複する説明を省略する。また、このレンズクリーナ４１では、一例として複数（この例では３つ）の清掃用ブラシ４が径方向に沿って直線的に植設されているが、清掃用ブラシ４の数を１つとしたレンズクリーナ１，２１，３１においても、捕捉用ブラシ４２を配設することによってクリーニング液１０の飛散を十分に低減させることができる。また、捕捉用ブラシ４２については、弧状に代えて、直線状または折れ線状に植設することもできる。また、捕捉用ブラシ４２の突出長を清掃用ブラシ４よりも長く規定することにより、クリーニング液１０の飛散を一層低減することができる。
【００３８】
また、上記の構成では、清掃用ブラシ４を液受け部材３，３３に接着によって植設しているが、接着に代えて圧入によって植設することもできるし、清掃用ブラシ４の基部４ａに抜け防止機構（例えば、基部４ａの外周面にフランジ部）を設けて、抜脱不能に液受け部材３，３３に植設することもできる。
【００３９】
また、上記の構成では、清掃用ブラシ４は、例えば、図４に示すように、直線的に伸ばした状態でディスク本体２に植設されているが、図１５に示すレンズクリーナ５１のように、基部４ａを中間部４ｂおよび先端部４ｃに対してほぼ直角に折り曲げた状態でディスク本体２に植設することもできる。この場合、清掃用ブラシ４は、図１４に示すように、中間部４ｂおよび先端部４ｃに対して基部４ａがほぼ９０度に折り曲げられて、基部４ａが液受け部材３の一方の面３ａの中央部位に沿うようにして配設される。また、中間部４ｂおよび先端部４ｃが液受け部材３の一方の面３ａに対してほぼ直角に起立するように、清掃用ブラシ４を液受け部材３に配設する。また、この清掃用ブラシ４の取付けの際には、液受け部材３の一方の面３ａ全体または一方の面３ａにおける清掃用ブラシ４の配設部位の周辺部位に接着剤８を塗布する。次いで、清掃用ブラシ４の中間部４ｂおよび先端部４ｃをディスク本体２の貫通孔６内に挿通させるようにして、装着用凹部５内に液受け部材３を装着する。これにより、図１５に示すように、液受け部材３は、接着剤８によって一方の面３ａが装着用凹部５の底面５ａに接着され、かつ他方の面３ｃの全域がディスク本体２の他方の面２ｂに露出した状態でディスク本体２に取り付けられる。この状態では、液受け部材３の一方の面３ａと装着用凹部５の底面５ａとの間で基部４ａが挟持されるため、清掃用ブラシ４はディスク本体２に抜脱不能の状態で植設される。なお、接着剤８に代えて両面テープを用いることもできる。このようにして構成されたレンズクリーナ５１は、レンズクリーナ１と同様にして、液受け部材３の他方の面３ｃ上にクリーニング液１０を滴下して使用される。
【図面の簡単な説明】
【００４０】
【図１】レンズクリーナ１の清掃用ブラシ４側から見た平面図である。
【図２】レンズクリーナ１の側面図である。
【図３】液受け部材３および清掃用ブラシ４の斜視図である。
【図４】分解状態の液受け部材３、清掃用ブラシ４およびディスク本体２の断面図である。
【図５】レンズクリーナ１の使用方法を説明するための液受け部材３、清掃用ブラシ４およびディスク本体２の断面図である。
【図６】液受け部材３の他の形態と清掃用ブラシ４の断面図である。
【図７】他の液受け部材１３と清掃用ブラシ４の断面図である。
【図８】分解状態の液受け部材３、清掃用ブラシ４およびディスク本体２２の断面図である。
【図９】レンズクリーナ２１の使用方法を説明するための液受け部材３、清掃用ブラシ４およびディスク本体２２の断面図である。
【図１０】分解状態の液受け部材３３、清掃用ブラシ４およびディスク本体３２の断面図である。
【図１１】液受け部材３３の他の形態と清掃用ブラシ４の斜視図である。
【図１２】液受け部材３３のさらに他の形態と清掃用ブラシ４の斜視図である。
【図１３】捕捉用ブラシ４２を配設したレンズクリーナ４１の要部平面図である。
【図１４】分解状態のレンズクリーナ５１（液受け部材３、清掃用ブラシ４およびディスク本体２）の断面図である。
【図１５】装着用凹部５に液受け部材３を装着した状態のレンズクリーナ５１の断面図である。
【符号の説明】
【００４１】
１，２１，３１，４１，５１  レンズクリーナ
２  ディスク本体
２ａ  一方の面
２ｂ  他方の面
３  液受け部材
４  清掃用ブラシ
４ａ  基部
【図１】
0003107682.tif 000003
【図２】
0003107682.tif 000004
【図３】
0003107682.tif 000005
【図４】
0003107682.tif 000006
【図５】
0003107682.tif 000007
【図６】
0003107682.tif 000008
【図７】
0003107682.tif 000009
【図８】
0003107682.tif 000010
【図９】
0003107682.tif 000011
【図１０】
0003107682.tif 000012
【図１１】
0003107682.tif 000013
【図１２】
0003107682.tif 000014
【図１３】
0003107682.tif 000015
【図１４】
0003107682.tif 000016
【図１５】
0003107682.tif 000017